(57)【要約】【課題】苗取り板を予備苗台フレームを利用して所定スペース内に集約保持する田植機の収納構造であって、不使用時には格納することができ且つ使用時にはステップ台の一部を占領することなく前記苗取り板を集約保持できる構造簡単な収納構造を提供する。【解決手段】機体フレーム５に立設された予備苗台フレーム２００に予備苗台５０を支持させ得るように構成された田植機Ａに適用される収納構造は、使用位置と格納位置とをとり得るように構成された収納部材３３０を備え、収納部材３３０は、前記使用位置に位置された状態において前記苗取り板６０を機体のステップ台３０よりも上方位置で吊り下げ保持し得るように構成されている。【選択図】図３
2007222114.tif 000002
【特許請求の範囲】
【請求項１】
機体フレームに立設された予備苗台フレームに予備苗台を支持させ得るように構成された田植機に適用され、苗取り板を前記予備苗台フレームを利用して所定スペース内に集約保持する為の田植機の収納構造であって、
前記予備苗台フレームから機体幅方向に延在する使用位置と該予備苗台フレームに沿った格納位置とをとり得るように、該予備苗台フレームに機体前後方向に沿った軸線回り回動可能に連結された収納部材を備え、
前記収納部材は、前記使用位置に位置された状態において前記苗取り板を機体のステップ台よりも上方位置で吊り下げ保持し得るように構成されていることを特徴とする収納構造。
【請求項２】
前記収納部材は、機体前後方向に沿った前方回動軸部と、前記前方回動軸部に対して略直交する方向へ延びる前方支持部と、前記前方回動軸部より機体後方位置において機体前後方向に沿った後方回動軸部と、前記後方回動軸部に対して略直交する方向へ延びる後方支持部と、前記前方支持部及び前記後方支持部の間を連結する連結部とが棒状体によって一体形成されており、
前記使用位置に位置された状態において、前記前方支持部，前記後方支持部及び前記連結部が前記苗取り板を吊り下げ保持し得るように平面視凸状とされていることを特徴とする請求項１に記載の収納構造。
【請求項３】
前記予備苗台フレームは、予備苗台を支持する支持部材が設けられており、
前記支持部材は、該予備苗台を略水平状態とさせる使用位置と該予備苗台を略垂直姿勢とさせる格納位置とをとり得るように、該予備苗台フレームに固着された取付板を介して機体前後方向に沿った枢支軸回り揺動可能とされており、
前記前方回動軸部及び前記後方回動軸部は、前記取付板に軸線回り回転可能に支持されており、
前記収納部材は、前記取付板の周縁部に設けられた窪みに弾性的に係入することで前記使用位置及び前記格納位置に係止されるように構成されていることを特徴とする請求項２に記載の収納構造。
【発明の詳細な説明】
【技術分野】
【０００１】
本発明は田植機に関し、詳しくは、苗取り板を予備苗台フレームを利用して所定スペース内に集約保持し得るように田植機に適用される収納構造に関する。
【背景技術】
【０００２】
苗取り板を予備苗台フレームを利用して所定スペース内に集約保持し得るように構成された収納構造は、従来から公知である。
【０００３】
例えば、下記特許文献１には、予備苗台フレームを構成する前支柱及び後支柱にそれぞれ平行リンク機構を設け、該一対の平行リンク機構における可動側の略垂直リンク同士を連結棒で連結することで、収納スペースを形成するように構成した収納構造が記載されている。
又、下記特許文献２には、予備苗台フレームに収納スペースを形成する苗取り板ホルダーを上下揺動自在に連結させると共に、該板ホルダーを付勢部材によって前記予備苗台フレームに付勢するように構成した収納構造が記載されている。
【０００４】
これらの特許文献に記載の収納構造は共に、使用位置と格納位置（不使用位置）とをとり得るように構成されており、従って、不使用時に収納構造が邪魔になることを有効に防止できる点で有用である。
【０００５】
しかしながら、前記特許文献１及び２に記載の収納構造は何れも、前記苗取り板を集約保持する状態において、該苗取り板の下端部が機体のステップ台上に載置されるように構成されている為、集約保持されている苗取り板によってステップ台の一部が占領され、これにより、運転者や補助作業者の足置きスペースが減少するという不都合があった。
【特許文献１】実開昭６０−１２１７２０号公報
【特許文献２】実開昭６２−７０７１８号公報
【発明の開示】
【発明が解決しようとする課題】
【０００６】
本発明は、前記従来技術に鑑みなされたものであり、苗取り板を予備苗台フレームを利用して所定スペース内に集約保持する田植機の収納構造であって、不使用時には格納することができ且つ使用時にはステップ台の一部を占領することなく前記苗取り板を集約保持できる構造簡単な収納構造の提供を、一の目的とする。
【課題を解決するための手段】
【０００７】
本発明は、前記目的を達成するために、機体フレームに立設された予備苗台フレームに予備苗台を支持させ得るように構成された田植機に適用され、苗取り板を前記予備苗台フレームを利用して所定スペース内に集約保持する為の田植機の収納構造であって、前記予備苗台フレームから機体幅方向に延在する使用位置と該予備苗台フレームに沿った格納位置とをとり得るように、該予備苗台フレームに機体前後方向に沿った軸線回り回動可能に連結された収納部材を備え、前記収納部材は、前記使用位置に位置された状態において前記苗取り板を機体のステップ台よりも上方位置で吊り下げ保持し得るように構成されていることを特徴とする収納構造を提供する。
【０００８】
本発明に係る収納構造の具体的態様としては、前記収納部材は、機体前後方向に沿った前方回動軸部と、前記前方回動軸部に対して略直交する方向へ延びる前方支持部と、前記前方回動軸部より機体後方位置において機体前後方向に沿った後方回動軸部と、前記後方回動軸部に対して略直交する方向へ延びる後方支持部と、前記前方支持部及び前記後方支持部の間を連結する連結部とが棒状体によって一体形成されており、前記使用位置に位置された状態において、前記前方支持部，前記後方支持部及び前記連結部が前記苗取り板を吊り下げ保持し得るように平面視凸状とされている態様を例示できる。
【０００９】
斯かる態様において、さらに、前記予備苗台フレームは、予備苗台を支持する支持部材が設けられており、前記支持部材は、該予備苗台を略水平状態とさせる使用位置と該予備苗台を略垂直姿勢とさせる格納位置とをとり得るように、該予備苗台フレームに固着された取付板を介して機体前後方向に沿った枢支軸回り揺動可能とされており、前記前方回動軸部及び前記後方回動軸部は、前記取付板に軸線回り回転可能に支持されており、前記収納部材は、前記取付板の周縁部に設けられた窪みに弾性的に係入することで前記使用位置及び前記格納位置に係止されるように構成されている態様も例示できる。
【００１０】
本発明に係る収納構造において、前記収納部材が前記使用位置を超えて移動するのを防止する使用位置保持ストッパーと、前記収納部材が前記格納位置を超えて移動するのを防止する収納位置保持ストッパーとをさらに備えていてもよい。
【発明の効果】
【００１１】
本発明に係る収納構造によれば、前記収納部材は、前記使用位置と前記格納位置とをとり得るように構成されているので、不使用時には格納することができる。さらに、前記収納部材は、前記使用位置に位置された状態において前記苗取り板を機体のステップ台よりも上方位置で吊り下げ保持し得るように構成されているので、使用時にはステップ台の一部を占領することなく前記苗取り板を集約保持することができる。
【００１２】
又、前記収納部材は、前記前方回動軸部と、前記前方支持部と、前記後方回動軸部と、前記後方支持部と、前記連結部とが棒状体によって一体形成されており、前記使用位置に位置された状態において、前記前方支持部，前記後方支持部及び前記連結部が前記苗取り板を吊り下げ保持し得るように平面視凸状とされている場合には、該収納部材を構造簡単且つ安価に構成することができると共に、前記平面視凸状とされた前記前方支持部，前記後方支持部及び前記連結部により、前記苗取り板を集約保持し易くできる。例えば、前記苗取り板における把持部に設けられた把持用貫通孔に、前記平面視凸状とされた前記前方支持部，前記後方支持部及び前記連結部を挿通することができる。
【００１３】
又、前記予備苗台フレームは、予備苗台を支持する支持部材が設けられており、前記支持部材は、前記使用位置と前記格納位置とをとり得るように、該予備苗台フレームに固着された取付板を介して機体前後方向に沿った枢支軸回り揺動可能とされており、前記前方回動軸部及び前記後方回動軸部は、前記取付板に軸線回り回転可能に支持されており、前記収納部材は、前記取付板の周縁部に設けられた窪みに弾性的に係入することで前記使用位置及び前記格納位置に係止されるように構成されている場合には、前記収納部材を前記使用位置と前記格納位置とに確実に且つワンタッチによる回動操作可能に保持することができる。
【００１４】
又、本発明に係る収納構造において、前記収納部材が前記使用位置を超えて移動するのを防止する使用位置保持ストッパーと、前記収納部材が前記格納位置を超えて移動するのを防止する収納位置保持ストッパーとをさらに備えている場合には、前記収納部材の前記使用位置及び前記格納位置でのオーバーランをそれぞれ防止することができる。
【発明を実施するための最良の形態】
【００１５】
以下、本発明に係る実施の形態について、添付図面を参照しつつ説明する。
図１は、本実施の形態に係る収納構造３００が適用された田植機Ａの側面図である。
【００１６】
まず、図１を参照しつつ、前記田植機Ａの全体構成について説明する。
該田植機Ａは、作業車本機１と、該作業車本機１の後方に付設される植付装置３と、前記植付装置３の前方に位置するように前記作業車本機１の後部に付設される施肥ユニット１００とを備えている。
【００１７】
前記作業車本機１は、図１に示すように、機体フレーム５と、該機体フレーム５の前部に載置される駆動源６と、該駆動源６に作動連結された状態で該駆動源６の後方に配設されるミッションケース８と、該ミッションケース８の機体幅方向両側に配設された一対のフロントアクスルケース９と、該一対のフロントアクスルケース９に前車軸１０Ａを介してそれぞれ支持された一対の水田走行用前輪１０と、前記ミッションケース８の後部に連結フレーム１１を介して連結されるリヤアクスルケース１２と、該リヤアクスルケース１２の機体幅方向両側に後車軸１３Ａを介して支持された一対の水田走行用後輪１３とを備えている。
【００１８】
さらに、該作業車本機１は、前記駆動源６を覆うボンネット７と、前記ミッションケース８を覆うように前記機体フレーム５上に張設された車体カバー１４と、前記車体カバー１４上に備えられた運転席２１と、前記運転席２１の前方で且つ前記ボンネット７の後部に配設された操向ハンドル２０と、前記ボンネット７の機体幅方向両側に設けられた前記収納構造３００とを備えている。
さらに、該作業車本機１は、前記駆動源６を覆うボンネット７と、前記ミッションケース８を覆うように前記機体フレーム５上に張設された車体カバー１４と、前記車体カバー１４上に備えられた運転席２１と、運転席２１の前方で且つ前記ボンネット７の後部に配設された操向ハンドル２０と、前記ボンネット７の機体幅方向両側に設けられた予備苗載台５０とを備えている。
【００１９】
前記車体カバー１４は、前記ボンネット７の機体幅方向両側に配置された補助ステップ１５と、前記ボンネット７の後方に配置された主ステップ１６とを備えている。前記補助ステップ１５及び前記主ステップ１６でステップ台３０を構成している。
【００２０】
前記植付装置３は、植付ケース３８と、苗載台３３と、該苗載台３３に載置された苗マットを下方へ搬送させ得るように該苗載台に装着された苗送りベルト（図示せず）と、前記植付ケース３８に回転可能に支持されたロータリケース３１と、該ロータリケース３１に支持された爪ケース３２であって、植付爪を有する爪ケース３２とを備えている。
【００２１】
本実施の形態においては、前記植付装置３は、１条分の苗マットを載置可能な１条用苗載台３３が機体幅方向に６台並設された６条用とされている。
前記植付ケース３８の機体幅方向両側に前記ロータリケース３１が一対設けられている。
即ち、本実施の形態においては、前記植付装置３は、２条用の植付ケース３８を３台有し、且つ、前記ロータリケース３１を６台有している。
【００２２】
前記植付装置３は、前記作業車本機１に設けられた植付用ＰＴＯ軸（図示せず）に作動連結される植付入力軸（図示せず）を有する植付駆動ケース２６と、機体幅方向に延びるように前記植付駆動ケース２６に連結された横パイプケースであって、前記植付入力軸に作動連結される植付駆動軸が内挿された横パイプケース（図示せず）と、前記横パイプケースに立設された左右一対のサイドフレーム３４と、前記左右一対のサイドフレーム３４の上部間を連結するように機体幅方向に延びるローリングフレーム（図示せず）とをさらに備えている。
【００２３】
さらに、前記植付装置３は、前記植付ケース３８の下方に配設されたセンターフロート３５及びサイドフロート３６を有している。
【００２４】
斯かる構成の植付装置３は、前記機体フレーム５と前記植付駆動ケース２６との間に介挿された昇降リンク機構２を介して、前記作業車本機１に対して昇降自在に連結されている。
詳しくは、該昇降リンク機構２は、前記機体フレーム５と前記植付駆動ケース２６との間に延びる昇降リンク２７と、該昇降リンク２７と前記連結フレーム１１の間に介挿された昇降用油圧シリンダ（図示せず）とを有している。
斯かる構成を備えることにより、前記田植機Ａは、前記昇降用油圧シリンダを進退動作させることにより、前記植付装置３は作業車本機１に対して昇降されるようになっている。
【００２５】
図２は、前記収納構造３００の全体構成を示す斜視図である。又、図３，図４，図５及び図６は、それぞれ、前記収納構造３００を示す斜視図，正面図，側面図及び平面図である。
なお、前記収納構造３００は、例えば、前記田植機Ａの機体幅方向（図中Ｙ方向）一方側Ｙ１（ここでは機体前後方向（図中Ｘ方向）前方Ｘ１に向かって左側、以下単に左側という）又は機体幅方向Ｙ他方側Ｙ２（ここでは前方Ｘ１に向かって右側、以下単に右側という）の少なくとも一方側に設けられ得る。本実施の形態においては、前記収納構造３００は、前記田植機Ａの左側Ｙ１及び右側Ｙ２の両側に設けられている。
左右の収納構造３００は実質的に同じ構成をしており、図３乃至図６では、右側の収納構造３００のみを示し、左側の収納構造３００は図示を省略している。
又、予備苗台フレーム２００に支持される予備苗台５０は、図３，図５及び図６においては、図示を省略している。
【００２６】
次に、前記収納構造３００について詳述する。
前記収納構造３００は、図２乃至図６に示すように、前記機体フレーム５に立設された前記予備苗台フレーム２００に予備苗台５０を支持させ得るように構成された田植機Ａに適用され、苗取り板６０を前記予備苗台フレーム２００を利用して所定スペース内に集約保持する為のものである。
この収納構造３００は、前記予備苗台フレーム２００から機体幅方向Ｙに延在する使用位置（図３（ａ）参照）と該予備苗台フレーム２００に沿った格納位置（図３（ｂ）参照）とをとり得るように、該予備苗台フレーム２００に機体前後方向Ｘに沿った軸線回り回動可能に連結された収納部材３３０を備えている。
【００２７】
そして、前記収納部材３３０は、前記使用位置に位置された状態において前記苗取り板６０を機体の前記ステップ台３０よりも上方位置で吊り下げ保持し得るように構成されている。
斯かる構成を備えた収納構造３００によれば、前記収納部材３３０は、前記使用位置と前記格納位置とをとり得るように構成されているので、不使用時には格納することができる。さらに、前記収納部材３３０は、前記使用位置に位置された状態において前記苗取り板６０を機体の前記ステップ台３０よりも上方位置で吊り下げ保持し得るように構成されているので、使用時には前記ステップ台３０の一部を占領することなく前記苗取り板６０を集約保持することができる。
【００２８】
図７及び図８は、前記収納部材３３０が、前記予備苗台フレーム２００に機体前後方向Ｘに沿った軸線回り回動可能に連結されている状態を説明する為の斜視図であって、図７（ａ）は、前記収納部材３３０が前記使用位置に位置している状態の前方側を示す図であり、図７（ｂ）は、前記収納部材３３０が前記格納位置に位置している状態の前方側を示す図であり、図８（ａ）は、前記収納部材３３０が前記使用位置に位置している状態の後方側を示す図であり、図８（ｂ）は、前記収納部材３３０が前記格納位置に位置している状態の後方側を示す図である。
【００２９】
図２乃至図８を参照しつつさらに説明すると、本実施の形態では、前記収納部材３３０は、機体前後方向Ｘに沿った前方回動軸部３３１ａ（図７参照）と、前記前方回動軸部３３１ａに対して略直交する方向へ延びる前方支持部３３２ａと、前記前方回動軸部３３１ａより機体後方Ｘ２位置において機体前後方向Ｘに沿った後方回動軸部３３１ｂ（図８参照）と、前記後方回動軸部３３１ｂに対して略直交する方向へ延びる後方支持部３３２ｂと、前記前方支持部３３２ａ及び前記後方支持部３３２ｂの間を連結する連結部３３３とが棒状体によって一体形成されている。
そして、前記使用位置に位置された状態において、前記前方支持部３３２ａ，前記後方支持部３３２ｂ及び前記連結部３３３が前記苗取り板６０を吊り下げ保持し得るように平面視凸状とされている。（図６参照）。
【００３０】
斯かる構成を備えた収納構造３００では、該収納部材３３０を構造簡単且つ安価に構成することができると共に、前記平面視凸状とされた前記前方支持部３３２ａ，前記後方支持部３３２ｂ及び前記連結部３３３により、前記苗取り板６０を集約保持し易くできる。例えば、図２に示すように、前記苗取り板６０における把持部６１に設けられた把持用貫通孔６１ａに、前記平面視凸状とされた前記前方支持部３３２ａ，前記後方支持部３３２ｂ及び前記連結部３３３を挿通することができる。
【００３１】
又、本実施の形態においては、前記予備苗台フレーム２００は、予備苗台５０を支持する支持部材２３０が設けられている。
前記支持部材２３０は、該予備苗台５０を略水平状態とさせる使用位置（図２の左側参照）と該予備苗台５０を略垂直姿勢とさせる格納位置（図２の右側参照）とをとり得るように、該予備苗台フレーム２００に固着された取付板２５０を介して機体前後方向Ｘに沿った枢支軸Ｐ（図４参照）回り揺動可能とされている。
前記前方回動軸部３３１ａ及び前記後方回動軸部３３１ｂは、前記取付板２５０に軸線回り回転可能に支持されている（図７及び図８参照）。
【００３２】
そして、前記収納部材３３０は、前記取付板２５０の周縁部Ｑに設けられた窪みＱ１，Ｑ２に弾性的に係入することで前記使用位置及び前記格納位置に係止されるように構成されている。
斯かる構成を備えた収納構造３００では、前記収納部材３３０を前記使用位置と前記格納位置とに確実に且つワンタッチによる回動操作可能に保持することができる。
【００３３】
さらに具体的に説明すると、前記予備苗台フレーム２００は、前記機体フレーム５に立設されるベースフレーム２１０と、予備苗台５０を支持可能なユニットフレーム２２０であって、前記ベースフレーム２１０に着脱自在に連結可能とされたユニットフレーム２２０とを備えている。
前記ユニットフレーム２２０は、図示の例では１段構成としたが、下段に位置する他のユニットフレーム２２０に対しても着脱自在に連結可能とされている（換言すれば、前記ユニットフレーム２２０が多段構成可能とされている）。
【００３４】
前記予備苗台フレーム２００は、前記ベースフレーム２１０及び前記ユニットフレーム２２０に着脱自在に連結される前記支持部材２３０を備えている。
前記支持部材２３０は、前記使用位置と前記格納位置とをとり得るように、対応する前記ベースフレーム２１０及び前記ユニットフレーム２２０に機体前後方向Ｘに沿った枢支軸Ｐ回り揺動可能とされている。
【００３５】
前記ベースフレーム２１０は、機体前後方向Ｘに離間配置された前ベース支柱２１１及び後ベース支柱２１２を有している。
又、前記ユニットフレーム２２０は、前記前ベース支柱２１１及び前記後ベース支柱２１２に対応した前支柱２２１及び後支柱２２２と、該前支柱２２１及び後支柱２２２の間を連結する連結支柱２２３（ここでは複数の連結支柱２２３）とを有している。
又、前記ベースフレーム２１０は、さらに、前記前ベース支柱２１１及び前記後ベース支柱２１２の間を連結するベース連結支柱２１３（ここでは複数のベース連結支柱２１３）を有している。
【００３６】
前記ベースフレーム２１０において、前記前ベース支柱２１１及び前記後ベース支柱２１２は、それぞれ、基端部２１１ａ，２１２ａが前記機体フレーム５に連結され、該基端部２１１ａ，２１２ａから機体幅方向Ｙ外方に延びると共に、途中で上方へ略直角に延びている。
前記ベース連結支柱２１３は、上下一対のものとされており、上側のベース連結支柱２１３は前記前ベース支柱２１１及び前記後ベース支柱２１２の先端部２１１ｂ，２１２ｂに架設され、且つ、下側のベース連結支柱２１３は前記前ベース支柱２１１及び前記後ベース支柱２１２の上下方向中間部に架設されている。
【００３７】
又、前記ユニットフレーム２２０において、前記連結支柱２２３は、上下一対のものとされており、下側の連結支柱２２３は前記前支柱２２１及び前記後支柱２２２の下端部２２１ａ，２２２ａに架設され、且つ、上側の連結支柱２２３は前記前支柱２２１及び前記後支柱２２２の上端部２２１ｂ，２２２ｂに架設されている。
【００３８】
斯かる構成の前記ベースフレーム２１０及び前記ユニットフレーム２２０において、前記上下一対のベース連結支柱２１３及び前記上側の連結支柱２２３は、何れも機体前後方向Ｘに離間配置された左右一対の取付板２５０を有している。
【００３９】
詳しくは、前記前ベース支柱２１１及び前記後ベース支柱２１２は、何れも棒状のものとされている。前記前支柱２２１及び前記後支柱２２２も、何れも棒状のものとされている。
前記上下一対のベース連結支柱２１３及び前記上側の連結支柱２２３は、何れも機体前後方向Ｘ視Ｌ字状の屈曲部材からなっており、機体前後方向Ｘに延びる一方側のステー部２１３ａ，２２３ａが機体幅方向Ｙ内方側に向くように略垂直に配設され、且つ、機体前後方向Ｘに延びる他方側のステー部２１３ｂ，２２３ｂが上方側を向くように略水平に配設されている。
又、前記左右一対の取付板２５０は、何れも前記上下一対のベース連結支柱２１３及び前記上側の連結支柱２２３の内側面に略垂直に固着されており、周縁部Ｑに前記窪みＱ１，Ｑ２が設けられている。
【００４０】
前記収納部材３３０は、前記前方回動軸部３３１ａと前方支持部３３２ａとの間が前方屈曲部３３４ａによって連結されており（図７参照）、前記後方回動軸部３３１ｂと後方支持部３３２ｂとの間が後方屈曲部３３４ｂによって連結されている（図８参照）。
【００４１】
前記前方屈曲部３３４ａ及び前記後方屈曲部３３４ｂは、それぞれ、前記前方回動軸部３３１及び前記後方回動軸部３３１ｂと略並行な並行部３３４ａ’，３３４ｂ’を有している。
そして、前記収納部材３３０は、前記屈曲部３３４ａ，３３４ｂにおける前記並行部３３４ａ’，３３４ｂ’が、前記使用位置及び前記格納位置の間においては、該屈曲部３３４ａ，３３４ｂが撓みつつ移動し、且つ、前記使用位置及び前記格納位置に位置する場合においては、該窪みＱ１，Ｑ２に係入することで該使用位置及び該格納位置に保持されるようになっている。
【００４２】
前記ユニットフレーム２２０及び前記ベースフレーム２１０にそれぞれ設けられた前記左右一対の取付板２５０は、何れも機体前後方向Ｘに貫通する貫通孔２５２を有している（図７及び図８参照）。
そして、前記収納部材３３０は、前記貫通孔２５２に、前記前方回動軸部３３１ａ及び前記後方回動軸部３３１ｂが挿通されることで、前記予備苗台フレーム２００に機体前後方向Ｘに沿った軸線回り回動可能に連結されるようになっている。なお、前記前方回動軸部３３１ａ及び前記後方回動軸部３３１ｂは、本実施の形態では、前記上側の連結支柱２２３における前記取付板２５０の前記貫通孔２５２に挿通されている。
こうすることで、前記収納部材３３０を前記予備苗台フレーム２００に対して取付・取外す際には、前記収納部材３３０を撓ませつつ、前記貫通孔２５２に、前記前方回動軸部３３１ａ及び前記後方回動軸部３３１ｂを挿通することができる。これにより、工具等を用いることなく（ノンツールで）前記予備苗台フレーム２００に対する前記収納部材３３０の取付・取り外しが可能となる。
【００４３】
さらに、前記左右一対の取付板２５０は、機体前後方向Ｘのピッチが各段において同じピッチとされている。
この点、本実施の形態においては、前記収納部材３３０は、単一の棒状体によって一体形成されており、前記屈曲部３３４ａ，３３４ｂを有しているので、前記前方支持部３３２ａ及び前記後方支持部３３２ｂの間の機体前後方向Ｘ長さｈ（図５及び図６参照）の調節を前記屈曲部３３４ａ，３３４ｂの機体前後方向Ｘ長さで簡単に行うことができる。
【００４４】
なお、前記収納構造３００は、例えば、図７及び図８の破線で示すように、前記収納部材３３０が前記使用位置を超えて移動するのを防止する使用位置保持ストッパー４１０と、前記収納部材３３０が前記格納位置を超えて移動するのを防止する収納位置保持ストッパー４２０とをさらに備えていてもよい。
斯かる構成を備えた収納構造では、前記収納部材３３０の前記使用位置及び前記格納位置でのオーバーランをそれぞれ防止することができる。
【図面の簡単な説明】
【００４５】
【図１】図１は、本実施の形態に係る収納構造が適用された田植機の側面図である。
【図２】図２は、収納構造の全体構成を示す斜視図である
【図３】図３は、収納構造を示す斜視図であって、図３（ａ）は、収納部材が使用位置をとっている状態を示す図であり、図３（ｂ）は、収納部材が格納位置をとっている状態を示す図である。
【図４】図４は、収納構造を示す正面図である。
【図５】図５は、収納構造を示す側面図である。
【図６】図６は、収納構造を示す平面図である。
【図７】図７は、収納部材が、予備苗台フレームに機体前後方向に沿った軸線回り回動可能に連結されている状態を説明する為の斜視図であって、図７（ａ）は、収納部材が使用位置に位置している状態の前方側を示す図であり、図７（ｂ）は、収納部材が格納位置に位置している状態の前方側を示す図である。
【図８】図８は、収納部材が、予備苗台フレームに機体前後方向に沿った軸線回り回動可能に連結されている状態を説明する為の斜視図であって、図８（ａ）は、収納部材が使用位置に位置している状態の後方側を示す図であり、図８（ｂ）は、収納部材が格納位置に位置している状態の後方側を示す図である。
【符号の説明】
【００４６】
５…機体フレーム  ３０…ステップ台  ５０…予備苗台  ６０…苗取り板  
２００…予備苗台フレーム  ２３０…支持部材  ２５０…取付板  
３００…収納構造  ３３０…収納部材  ３３１ａ…前方回動軸部  
３３１ｂ…後方回動軸部  ３３２ａ…前方支持部  ３３２ｂ…後方支持部  
３３３…連結部  ４１０…使用位置保持ストッパー  ４２０…収納位置保持ストッパー  
Ａ…田植機Ａ  Ｐ…枢支軸  Ｑ…取付板の周縁部  Ｑ１，Ｑ２…窪み  
Ｘ…機体前後方向  Ｙ…機体幅方向  
【図１】
2007222114.tif 000003
【図２】
2007222114.tif 000004
【図３】
2007222114.tif 000005
【図４】
2007222114.tif 000006
【図５】
2007222114.tif 000007
【図６】
2007222114.tif 000008
【図７】
2007222114.tif 000009
【図８】
2007222114.tif 000010